(57)【要約】  寝袋１３０用の収納袋１４０。収納袋１４０の端部１５４又は他の部分は、寝袋１３０のライナ１５２と同じ色、質感、及び／又は模様であるセクション１５０を含む。さらに、寝袋１３０に関する情報１５８を、例えばこの情報を収納袋１４０にスクリーン印刷することによって、収納袋１４０に付すことができる。このように、使用者は、寝袋１３０の中身を知るのに寝袋を開く必要がない。
2009544448.tif 000002
【特許請求の範囲】
【請求項１】
寝袋及び収納袋の組み合わせであって、
前記寝袋は、
色、模様及び質感を有するライナと、
外側カバーと
を備え、
前記寝袋を収容する収納袋は、外側表面を有し、該外側表面の第１の部分が、前記ライナの前記色、模様及び質感の少なくとも１つを呈する、寝袋及び収納袋の組み合わせ。
【請求項２】
前記ライナは第１の材料を含み、前記収納袋の前記外側表面の前記第１の部分は前記第１の材料を含む、請求項１に記載の寝袋及び収納袋の組み合わせ。
【請求項３】
前記収納袋の前記外側表面は、前記寝袋の前記外側カバーの色、模様、及び／又は質感を呈する第２の部分を含む、請求項２に記載の寝袋及び収納袋の組み合わせ。
【請求項４】
前記外側カバーは第２の材料を含み、前記収納袋の前記外側表面の前記第２の部分は該第２の材料を含む、請求項３に記載の寝袋及び収納袋の組み合わせ。
【請求項５】
前記収納袋の前記外側表面に見える、前記寝袋に関する情報をさらに含む、請求項４に記載の寝袋及び収納袋の組み合わせ。
【請求項６】
前記第２の部分及び前記第１の部分は、少なくとも部分的に、前記収納袋の前記外側表面の一端に位置付けられる、請求項４に記載の寝袋及び収納袋の組み合わせ。
【請求項７】
前記一端に見える、前記寝袋に関する情報をさらに含む、請求項４に記載の寝袋及び収納袋の組み合わせ。
【請求項８】
前記収納袋の前記外側表面は、前記寝袋の前記外側カバーの色、模様、及び／又は質感を呈する第２の部分を含む、請求項１に記載の寝袋及び収納袋の組み合わせ。
【請求項９】
前記収納袋の前記外側表面に見える、前記寝袋に関する情報をさらに含む、請求項８に記載の寝袋及び収納袋の組み合わせ。
【請求項１０】
前記第２の部分及び前記第１の部分は、少なくとも部分的に、前記収納袋の前記外側表面の一端に位置付けられる、請求項８に記載の寝袋及び収納袋の組み合わせ。
【請求項１１】
前記一端に見える、前記寝袋に関する情報をさらに含む、請求項１０に記載の寝袋及び収納袋の組み合わせ。
【発明の詳細な説明】
【技術分野】
【０００１】
本発明は寝袋に関し、より詳細には寝袋の収納袋に関する。
【背景技術】
【０００２】
一般的に、寝袋は、屋外、例えばテントで眠るために暖かくライナが付いているか又は詰め物がされている袋である。寝袋は、宿泊客のように屋内の床で眠るために使用してもよく、又は旅行の際の便利な寝具材として使用してもよい。
【０００３】
寝袋は通常、寝袋内で個人が横たわる底部と、個人を覆うように延びる上部とを含む。多くの場合、上部及び底部は、折り返され、底縁及び側縁に沿って取り付けられて袋を形成する、断熱されるか又は詰め物がされている一枚の大きい矩形の布から作製される。取り付けは通常、ジッパーによってなされる。
【０００４】
寝袋は多くの場合、収納するために縦方向に折り畳まれて密な円筒体に巻かれる。巻かれると、たいていの巻かれた矩形の寝袋は、収納中に広がらないように紐（tie cords）、圧縮ストラップ若しくは弾性ストラップで縛られるか、又は他の方法で固定され得る。
【０００５】
他の寝袋は、収納の際に巻かれない場合があり、その代わりに詰め袋（stuff sack）とも呼ばれる収納袋に詰め込むことができる。詰め袋は、巻かれた寝袋にも使用することができる。
【０００６】
一般的に、寝袋が店舗で陳列されるとき、寝袋が大きく、すなわちふんわり感があるように見え、その結果、寝袋が使用者を暖かく保つのに十分であり、且つ快適でもあることを満たすと使用者が感じることが望ましい。したがって、可能であれば、寝袋はやや大きく見えるような形状を呈する。しかし、出荷、特に海外への出荷の場合、体積によって設定されることが多い寝袋１つ当たりの出荷費を最小限に抑えることができるように、寝袋はできるだけ小さく圧縮されることが望ましい。
【０００７】
これらの２つの異なる目的を１つの寝袋入れで満たすことは困難である。その上、販売員を働かせることは費用がかかるため、店舗では、寝袋のような商品を棚に配置することができるようにこれらの商品を再包装することを従業員にさせたがらない。
【発明の概要】
【０００８】
以下に、本発明を基本的に理解するための、本発明のいくつかの実施形態の概要を示す。この概要は、本発明の広範囲にわたる概説ではない。また、本発明の重要な要素を特定すること、又は本発明の範囲を定めることは意図していない。以下に示されるより詳細な説明の前置きとして、単に、簡潔な形態で本発明のいくつかの実施形態を示すことを目的とする。
【０００９】
一つの実施形態によると、寝袋用の収納袋が提供される。収納袋は、密な構成の寝袋を含んでいる第１の状態と、弛んだ構成の寝袋を保持するように拡張する第２の状態との間で構成可能である。一つの実施形態によると、そのような機能を提供するために、収納袋が第１の状態から第２の状態へ拡張することを可能にする、収納袋の拡張セクションが提供される。さらに、一つの実施形態によると、拡張セクションを第１の状態にロックするクロージャが提供され得る。
【００１０】
一つの実施形態によると、寝袋は、収納袋が小さく拡張していない状態で、密に圧縮された構成で店舗へ出荷され得る。店舗に到着すると、収納袋が拡張状態に拡張することができるように店員がクロージャを開く。そうすることによって、収納袋が柔らかく厚みがあるように見えるように拡張し、これが消費者にとってより魅力的なものとなり得る。さらに、使用者は、収納袋が第１の状態にあるときに、寝袋を収納袋に再び入れることが困難であると考える可能性があるため、その代わりに、拡張した第２の状態で収納袋を使用してもよい。
【００１１】
一つの実施形態によると、収納袋の一方の端部又は他方の部分は、寝袋のライナーと同じ色、質感、材料、及び／又は模様の部分を含む。さらに、寝袋に関する情報を、例えばこの情報を収納袋にスクリーン印刷することによって、収納袋に付してもよい。このように、使用者は、寝袋の中身を知るのに寝袋を開く必要がない。
【００１２】
本発明の他の特徴は、図面と合わせて読めば以下の詳細な説明から明らかとなるであろう。
【図面の簡単な説明】
【００１３】
【図１】本発明の方法に従って使用する寝袋巻き機の側方斜視図である。
【図２】寝袋が載せられており、寝袋を巻く最初の段階で示されている、図１の寝袋巻き機の側面図である。
【図３】寝袋を巻くさらなる段階で示されている、図２の寝袋巻き機の側面図である。
【図４】寝袋が完全に巻かれたところを示す、図２及び図３の寝袋巻き機の側面図である。
【図５】寝袋が図４に示されるように完全に巻かれ、収納袋が寝袋を覆う直前の、図１の寝袋巻き機の側方斜視図である。
【図６】小さい未拡張状態で収納袋内にある寝袋を示す、図５において巻かれた寝袋の側方斜視図である。
【図７】収納袋が拡張状態に拡張している、図６の収納袋及び寝袋の側方斜視図である。
【図８】一つの実施形態による、中に寝袋が入っている、小さい未拡張状態の収納袋の側方斜視図である。
【図９】収納袋が拡張状態に拡張している、図８の収納袋の側方斜視図である。
【図１０】図９に示される収納袋の後方の側方斜視図である。
【図１１】寝袋が部分的に巻かれている、図８〜図１０の収納袋に入る寝袋の側方斜視図である。
【発明を実施するための形態】
【００１４】
以下の記載において、本発明の種々の実施形態を記載する。説明の目的で、実施形態を完全に理解するために特定の構成及び詳細を記載する。しかし、本発明は特定の詳細を用いなくても実施することができることが当業者には明らかであろう。さらに、記載される実施形態を不明瞭にしないために、周知の特徴は省略されるか又は簡略化される。
【００１５】
ここで、図面を参照すると、いくつかの図面を通して同様の参照符号は同様の部分を指しているが、図１は、本発明の方法に従って寝袋を巻くのに使用され得る寝袋巻き機２０の側方斜視図を示している。寝袋巻き機２０は、開口部２４を有する台２２を備えている。一対の巻き棒２６が開口部２４の上方に位置付けられ、固定バー２８が、開口部２４を横切って、巻き棒２６に対して平行に、且つこの下に延びている。動作時には、巻き棒２６は、概して図１の矢印３４で示されるように回転する。
【００１６】
図示される実施形態では、巻き棒２６は「Ｈ」型のベースに取り付けられ、これがさらに円形のベースプレートに取り付けられている。巻き棒２６は代替的に、例えば溶接又は別の好適な取り付けによって、ベースプレートに直接取り付けてもよい。
【００１７】
一般的に、寝袋巻き機２０は、当該技術分野において公知である。しかし、同様の寝袋巻き機を使用して巻かれた従来の寝袋よりも直径がかなり小さい、密に巻かれた寝袋を製造するために、寝袋巻き機２０に対する改変がなされ、寝袋を巻く方法における変更が使用される。
【００１８】
知られているように、寝袋巻き機２０を用いて図２に示される寝袋３０のような寝袋を巻くために、図２に示されるように、寝袋３０の端部を最初に２つの巻き棒２６に通して延ばす。寝袋３０は、縦方向に折り畳まれてから巻き棒２６に挿入され得る。次いで、巻き棒２６を越えて延びる寝袋３０の一部が、図２の矢印３２で示されるように、寝袋３０の他の部分の上に折り畳まれる。次いで、従来技術によると、使用者は、寝袋３０のこの延びた部分を定位置に保持した後、巻き棒２６を、図１及び図２の矢印３４で示される方向に回転させる。巻き棒２６のこの回転によって、寝袋３０は円筒状に巻かれる。
【００１９】
本発明の一つの実施形態によると、使用者は、寝袋３０が回転している間に、寝袋３０の回転に抗する力を寝袋３０に加える。このような力は、図２に矢印３６で示されており、例えば、寝袋３０に片手、又は寝袋３０に２人の使用者の手を置くことによって提供することができる。寝袋３０にかかるこの力は、寝袋３０が巻き棒２６の方へ移動するのに抗し、寝袋３０がより密に引っ張られるようにする。したがって、寝袋３０の軽快感（airiness）すなわちふわふわ感が減り、その結果、寝袋３０は巻き棒２６上でより密に巻かれる。使用者は、寝袋３０が巻き棒２６上で巻かれている間中、寝袋３０にかかるこの圧力を維持する。この圧力は、寝袋３０をピンと張った状態で引っ張るのに十分であるが、寝袋３０が巻き棒２６上に連続的に巻かれ得るように解放することが可能である。
【００２０】
回転の連続した段階が図３に示されている。使用者は、図４に示されるように、寝袋３０が完全に巻かれるまで圧力を加え続ける。この段階において、固定バー２８が寝袋３０の端部を適所に保持し、寝袋が広がるのを防止する。この目的のために、固定バー２８は、寝袋３０が巻き棒２６から解放されるのを防止するのに適切な量の圧力を加えることができるように、巻き棒２６から適切に離間される。寝袋３０は、従来技術の寝袋よりも密に巻かれるため、寝袋巻き機２０の一つの実施形態によると、固定バー２８は、完全に巻かれた寝袋をより密な構成に保持することができるように、巻き棒２６の近くに位置付けられる。
【００２１】
適切な間隔を提供するために、巻き棒２６は、図１に矢印１００で示されるように、固定バー２８に向かうように及び固定バー２８から離れるように移動可能であり得る。この目的のために、巻き棒２６の駆動ユニット１０２を寝袋巻き機２０に摺動可能に取り付け、駆動ユニット１０２及び巻き棒２６を上方に摺動させることができる。同様に、固定バー２８を寝袋巻き機２０に摺動可能に取り付け、矢印１０４の方向に移動させることができる。代替的には、両方が移動可能であってもよい。さらに、所望であれば、例えば（図示しない）ばねによってこれらの１つ又は両方を偏らせ、固定バー２８及び巻き棒２６が、巻かれた寝袋３０に適切な圧力を加えることができるようにしてもよい。
【００２２】
寝袋３０が完全に巻かれた後で（図４）、収納袋４０（図５）を寝袋３０の周りに延ばす。寝袋巻き機２０の開口部２４は、収納袋４０が寝袋３０の周りを覆うように延びるための十分な空間を提供する。収納袋を寝袋にかけるこの方法は、従来技術の寝袋巻き機で使用される。
【００２３】
収納袋４０を、寝袋３０を完全に覆うように延ばした後、操作者は、寝袋３０及び収納袋４０を後方に引いて寝袋３０を巻き棒２６及び固定バー２８から取り外す。この取り外しを助けるために、寝袋巻き機２０の一つの実施形態によると、巻き棒２６はテーパ状になっている。この特徴によって、特に寝袋３０が密に巻かれる構成において、寝袋３０を巻き棒２６から簡単に取り外すことが可能となる。
【００２４】
上述の巻く方法を使用して、出荷用に寝袋を包装する際に、かなりの体積を節減することができる。例えば、本発明の譲受人であるコールマン社によって販売されている従来技術の１つの寝袋の場合、標準的な寝袋は、サイズが８４ｃｍ（３３インチ）×１９１ｃｍ（７５インチ）であり、ポリエステル繊維で充填されると充填重量が１．８１ｋｇ（４ポンド）であり、これは従来、直径３４．９３ｃｍ（１３．７５インチ）に巻かれていたが、本発明では、直径２６．０３ｃｍ（１０．２５インチ）に巻かれる。第２の例では、サイズが９９ｃｍ（３９インチ）×２０６ｃｍ（８１インチ）、ポリエステル繊維で充填されると充填重量が２．７ｋｇ（６ポンド）であり、従来は直径４１ｃｍ（１６インチ）に巻かれていた大きい寝袋は、本発明では、直径２９．２ｃｍ（１１．５インチ）に巻かれる。これらの両方の例において、寝袋は、縦方向に折り畳まれてから巻かれる。理解され得るように、そのような体積の減少によって出荷体積を大幅に低減することができ、これがさらに寝袋２０の単位当たりの費用を低減する。
【００２５】
一つの実施形態によると、収納袋４０は、そのケーシング内に拡張セクション４２（図６）を備えている。この拡張セクション４２は、収納袋の体積を増すことができるように構成され、弾性、伸縮性のある部分、又は拡張を可能にする別の構造を含む任意の適した構造であり得る。図６に示される実施形態では、拡張セクション４２は、収納袋４０をより小さくするように、アコーディオン状に折り畳まれる収納袋４０の一部である。よりコンパクトにされる収納袋の部分は、収納袋の外周をより小さくするために、折り畳まれるか、しわくちゃにされるか、緩く懸垂されるか、又は他の方法で共に押し付け合わせられてもよい。収納袋４０は、図６において、より小さい未拡張状態で示されている。拡張セクション４２として働く収納袋４０の部分は、収納袋４０のケーシングの残りと同じ材料で形成してもよく、又は異なる材料で形成してもよい。
【００２６】
一つの実施形態によると、収納袋４０の拡張セクション４２をより小さい未拡張状態に維持するクロージャ４４が提供される。図６に示される実施形態のクロージャ４４は、その長さの中間に沿って延びる取り外し可能なタブ４６を有する大きい接着ストリップである。拡張セクション４２を開閉するために、タブ４６を引っ張ってクロージャ４４を分離する。寝袋３０は、拡張セクション４２を開くことによって提供される収納袋４０のより大きい体積を満たすように拡張する。
【００２７】
図６の収納袋４０は、拡張セクション４２のクロージャ４４用に取り外し可能なタブ４６を有する接着ストリップを使用しているが、他のクロージャを使用してもよい。これらのクロージャは、ジッパーのように再閉可能であってもよく、それによって、収納袋４０は、開いた後に拡張状態と縮小した状態との間で移行することができる。代替的には、クロージャは、接着ストリップ及び取り外し可能なタブ４６のように、永久的に分離可能であってもよく、それによって、収納袋４０は、クロージャを開いた後で拡張状態のままとなる。クロージャの他の例としては、ストラップ、紐、面ファスナ、ボタン、スナップ、フック、ループ及びトグル、引裂き可能なストリップ、テープ、並びに他の解放可能なファスナが含まれるが、これらに限定されない。
【００２８】
収納袋１４０の拡張セクションの代替的な実施形態の例が図８〜図１０に示されている。この実施形態では、クロージャはジッパー１４２である。ジッパー１４２は、拡張セクション１４４を露出させるように開くことができる。図８に示される縮小した状態では、拡張セクション１４４は、ジッパー１４２を閉めることができるように折り畳まれるか、くしゃくしゃにされるか、又は他の方法で収納袋１４０の内部に詰め込まれている。ジッパー１４２を開くと拡張セクション１４４が拡張し、収納袋１４０をかなり大きくさせて、収納袋１４０内に収納されている寝袋１３０があまりコンパクトでなく保たれる。
【００２９】
上記の実施形態では巻かれるものとして説明したが、収納袋４０又は１４０のような収納袋のうちの一方によって保持される寝袋は、巻かれることなく収納袋１４０内に詰め込まれ得る。非限定的な例として、寝袋は、折り畳まれるか、又は折り畳まれるか若しくは巻かれることなく単に寝袋に詰め込むことができる。さらに、寝袋は圧縮されるか、及び／又は真空シールされ得る。
【００３０】
ジッパー１４２のような再閉可能なクロージャを使用することによって、拡張セクション１４４を再び閉じ、収納袋１４０を図８に示される形状に戻すことができ、この場合、寝袋１３０は、より密でコンパクトな状態に保持される。使用者は、寝袋１３０を収納袋１４０から出すとき、専らジッパー１４２を閉じることができる。収納袋を非拡張位置に戻すことができることによって、使用者は、寝袋を図９に示す非拡張状態で収納することができるだけでなく、例えば収納袋１４０をバックパック旅行に使用する場合に、収納袋１４０を図８のより密な構成で使用することもできる。
【００３１】
寝袋３０又は１３０は、収納袋４０又は１４０を、図６又は図８に示されるより小さい非拡張状態で、店舗又は他の小売店の場所へ出荷することができる。この場合、寝袋３０又は１３０が店舗に到着して棚に置く準備が整うと、店員は、図６に示される実施形態では取り外し可能なタブ４６を引裂くことによって、図８に示される実施形態ではジッパー１４２を開くことによってクロージャ４４を開き、収納袋４０又は１４０を、図７に示される拡張状態に拡張することができる。この位置において、寝袋３０又は１３０は、収納袋４０又は１４０内で拡張させることができ、寝袋の外観をよりふっくらと、柔らかく、ふんわり感のあるものにする。この外観は、寝袋の販売、特に消費者がより柔らかく暖かい寝袋を探している場合に、より適したものであり得る。
【００３２】
しかし、所望であれば、店舗で棚スペースを保ちたい場合、収納袋４０又は１４０を、図６又は図８に示されるように小さい未拡張状態に維持したままで、寝袋３０又は１３０を棚に配置し、より多くの寝袋を棚に積み重ねることができるようにしてもよい。代替的には、寝袋の１つ又は複数を、図７又は図９に示される拡張状態に拡張し、他の寝袋は、例えば図６又は図８に示されるより小さい未拡張状態で高めの棚に維持してもよい。いずれの場合にも、収納袋４０によって、店員がほんのわずか作業をするだけで、寝袋３０を２つの異なる方法で提示することができる。
【００３３】
図８〜図１０に示される収納袋１４０の実施形態は、別の利点を提供する。その収納袋１４０の拡張セクション１４４は、ライナ材料１５０から形成されている。一つの実施形態では、このライナ材料１５０は、寝袋１３０の内側のライナ１５２（図１１）の材料と一致する。収納袋１４０の外側にライナ材料１５０を設けることによって、使用者は、収納袋１４０が図９及び図１０に示される拡張位置にあるときに、収納袋１４０を見て、寝袋１３０を開く必要なく、ライナ材料の色、質感、材料及び／又は模様を知ることができる。この特徴は、寝袋１３０を市販する場合に便利であり、使用者が寝袋を収納袋１４０から取り出すことなく、寝袋を調べることを可能にする。ライナ材料１５０を単に見るか、及び／又は触るだけで、使用者は、寝袋１３０のライナ１５２の材料、色、質感、及び／又は模様を知ることになる。
【００３４】
別の実施形態では、図１０に示されるように、収納袋１４０の端部１５４にライナ材料１５６を設けてもよい。図示される実施形態のライナ材料１５６は、収納袋１４０の端部１５４の半分を覆ってもよい。このように、小売業者によって複数の収納袋１４０の端部を棚の端部から露出させてもよく、消費者は、複数の端部を見てどの組み合わせを購入したいか決めることができる。
【００３５】
一つの実施形態では、露出しているライナ材料１５６及び／又はライナ材料１５０は、寝袋１３０のライナ１５２と全く同じ材料であってもよく、又はライナ１５２の色、模様、及び／又は質感を単に再現してもよい。いずれの場合においても、ライナ材料１５０及び／又は１５６は、寝袋１３０のライナ１５２に関する視覚による、及び／又は触覚による情報を提供する。同様に、収納袋のケーシングの残りを同じ材料から作製してもよく、又は寝袋１３０の外側カバーの色、模様、及び／又は質感を再現してもよい。
【００３６】
一つの実施形態では、寝袋１３０に関する情報を収納袋１４０の外側に印刷してもよい。一例として、充填材料、使用温度、ライナ材料に関する情報、又は寝袋を購入する消費者に関連し得る他の情報を含むプリントスクリーン１５８が端部１５４に設けられている。ライナ材料１５６及びプリントスクリーン１５８を端部１５４に配置することによって、消費者には、購入の決定に関して必要である全ての情報が提供される。このように、小売業者は、複数の寝袋の端部を露出させるだけで、棚スペースを最大限に利用することができる。さらに、収納袋１４０の独自の拡張可能な性質によって、小売業者は、寝袋を出荷及び／又は棚スペースのためにコンパクトな状態で収納することができ、また、寝袋の収納のために収納袋１４０を拡張させることができ、且つ使用者が寝袋を収納袋１４０により容易に再挿入することができる。上記特徴の組み合わせによって、段ボール箱、別の販売促進袋、又は異なる収納袋の必要なく、小売業者が寝袋１３０を収納袋１４０に入れて別の小売業者へ出荷することが可能となる。したがって、廃棄物の量が少なくなり、収納袋１４０は、従来技術の寝袋よりも環境に優しい、寝袋の出荷、小売、及び使用の方法を提供する。
【００３７】
他の変形形態が本発明の精神内にある。したがって、本発明には種々の変更形態及び代替的な構成が適用される一方、本発明の或る特定の説明される実施形態が図示されており、上記で詳細に説明されている。しかし、本発明を開示される特定の形態に限定する意図はなく、逆に、本発明は、添付の特許請求の範囲において規定されるように、本発明の精神及び範囲内にある全ての変更形態、代替的な構成、及び均等物を包含するものであることを理解されたい。
【００３８】
本発明を説明する文脈（特に以下の特許請求の範囲の文脈）における語「１つ」及び「前記」並びに同様の指示語の使用は、本明細書において別途示されるか又は文脈によってはっきりと矛盾しない限り、単数及び複数の両方を包含するものと解釈される。語「備える」、「有する」、「含む」は、別途注記されない限りオープンエンドな語として解釈される（すなわち、「を含むがそれらに限定されない」を意味する）。語「接続される」は、何か介在するものがあるとしても、部分的又は全体的に内部に含まれるか、取り付けられるか、又は一緒に接合されるものとして解釈されるべきである。本明細書における値の範囲の列挙は、本明細書において別途示されない限り、その範囲内に入るそれぞれの別個の値を個別に列挙する簡略化された方法として役立つことが単に意図され、それぞれの別個の値は、本明細書において個別に列挙されているのと同じように本明細書に援用される。本明細書に記載される全ての方法は、本明細書において別途示されるか又は別途文脈によってはっきりと矛盾しない限り任意の好適な順番で行なうことができる。本明細書において提供される任意の全ての例、又は例示的な言葉（例えば「等」）の使用は、本発明の実施形態をよりよく示すことを単に意図するものであり、別途クレームされない限り本発明の範囲に限定を課すものではない。本明細書における言葉はいずれも、任意のクレームされていない要素が本発明の実施に必須であることを示すものとして解釈されるべきではない。
【００３９】
本発明の好ましい実施形態は、本発明を行なうのに最良の形態であると本発明者らが分かっているものを含め、本明細書において説明されている。これらの好ましい実施形態の変形形態は、前述の説明を読むと当業者には明らかとなるであろう。本発明者らは、当業者がそのような変形形態を適宜使用することを期待しており、本発明が本明細書に具体的に説明された以外の方法で実施されることを意図する。したがって、本発明は、適用法によって認められるように、添付の特許請求の範囲に記載される主題の全ての変更形態及び均等物を含む。さらに、全ての可能な変形形態での上記要素のいかなる組合せも、本明細書において別途示されるか又は別途文脈によってはっきりと矛盾しない限り本発明に含まれる。
【図１】
2009544448.tif 000003
【図２】
2009544448.tif 000004
【図３】
2009544448.tif 000005
【図４】
2009544448.tif 000006
【図５】
2009544448.tif 000007
【図６】
2009544448.tif 000008
【図７】
2009544448.tif 000009
【図８】
2009544448.tif 000010
【図９】
2009544448.tif 000011
【図１０】
2009544448.tif 000012
【図１１】
2009544448.tif 000013
【国際調査報告】
2009544448.tif 000014
2009544448.tif 000015